(57)【特許請求の範囲】
【請求項１】
物を収容するための本体と、その本体の背面の上端近辺から下端近辺にかけて設けられる左右一対の背負いベルトとを備えた背負いバッグであって、前記背面のうち少なくとも背中や腰が接触する部位に弾性体を有する突出部を設け、その突出部の表面は、突出部の上方に易滑性部を設け、下方にヌバック調の生地からなる難滑性部を設けてなることを特徴とする背負いバッグ。
【請求項２】
前記背面の下方に腰ベルトを備えている請求項１記載の背負いバッグ。
【請求項３】
前記背負いベルトの少なくとも肩にあたる部位に難滑性部を備えている請求項１記載の背負いバッグ。
【請求項４】
背負いベルトの難滑性部がヌバック調の生地である請求項３記載の背負いバッグ。
【発明の詳細な説明】
【０００１】
【発明の属する技術分野】
本発明は背負いバッグに関する。さらに詳しくは、いわゆるデイバッグやリュックサック、背負い式の通学カバンなどの背負いバッグに関する。
【０００２】
【従来の技術】
一般に上記に挙げた背負いバッグは、背負うときにバッグの背面が背中に擦れるので、衣服が縒れたり、あるいは捻じれたりするなど、背負い心地が悪かった。またこの背負い状態を良好にするのに、背面の生地をナイロンなどの滑り易い素材にしているものもある。また、背面下方に腰ベルトを設けてしっかりと背負うことができる背負いバッグや、背面にクッション材を有し、衝撃吸収効果を奏するもの（特許第３０３４５０２号公報参照）も提案されている。
【０００３】
【発明が解決しようとする課題】
前記易滑性の生地は、背面の感触がさらさらとした滑りのよい表面になっていて、バッグ本体が背中の上で動き易い。また、捻じれている衣服を引っ張って縒れを修正することも簡単である。したがって、バッグをいったん背負った後、バッグを背中の上で移動させて背負い直したり、あるいは衣服を引っ張って縒れを修正することにより、簡単に安定した背負い状態を得ることができる。しかし、歩行時にバッグが振動すると、バッグが背中の上で簡単に移動するので、不安定な状態になる。さらに不安定の背負い方による負荷が背中あるいは腰にかかるという問題点がある。さらにこれらの利点並びに問題点はバッグ本体部分だけでなく、背負いベルトにつても同様であり、背負いベルトが簡単に肩から滑り落ちたり、肩に定着せずに不安定な背負い状態になることがある。
【０００４】
これらの問題点については、従来のデイバッグやリュックサックの使用において、例えば使用者の背面とバッグの間、また肩と背負いベルトの間にタオルなどを一枚介在させることにより解決できる。すなわちタオルを介在させれば、バッグの揺動は適度の摩擦力で制御されて身体に安定し、また汗も吸収される。しかしこのような対策は、きわめて体裁が悪い。またバッグの下方に腰ベルトを設けた背負いバッグは、腰ベルトをかなり強く締めなければ安定せず、背中への密着力が強くなるので、背負い心地がわるい。
【０００５】
本発明は背負い易く、安定した背負い状態を保持できる背負いバッグを提供することを技術課題とするものである。さらに本発明は、背負いベルトが肩からずれにくい背負いバッグを提供することを技術課題としている。
【０００６】
【問題を解決するための手段】
請求項１の背負いバッグは、物を収容するための本体と、その本体の背面の上端近辺から下端近辺にかけて設けられる左右一対の背負いベルトとを備えた背負いバッグであって、前記背面のうち少なくとも背中や腰が接触する部位に弾性体を有する突出部を設け、その突出部の表面は、突出部の上方に易滑性部を設け、下方にヌバック調の生地からなる難滑性部を設けてなることを特徴としている。
ここでいう「ヌバック調の生地」とは、外観的には皮革の裏皮のようになっているが、繊維が少し毛羽立っていて、感触は少し粘り気がある合成皮革および本体の裏皮などのこという。
【０００９】
また前記背面の下方に腰ベルトを備えているもの（請求項２）はさらに好ましい。
【００１１】
また前記背負いベルトの少なくとも肩にあたる部位に難滑性部を備えているもの（請求項３）は特に好ましい。またこのような背負いベルトの難滑性部はヌバック調の生地からなっている（請求項４）のが好ましい。
【００１２】
【作用および効果】
背負いバッグ（請求項１）は、背面のうち少なくとも背中や腰が接触する部位に弾性体を有する突出部を設けているが、その突出部の表面は、上方に易滑性部を設け、下方にヌバック調の生地からなる難滑性部を設けている。前記難滑性部が突出部の下方に設けられているので、その難滑性部は使用者の腰部に接触する。腰部は背負いバッグの衝撃に対し、背中よりも負担がかかるし、肉体的には背中よりも衝撃に対し弱いところであるから、腰部が難滑性部と接触することによって、背負いバッグの揺動による負担は一層低減され、使用者は疲れにくくなる。また前記難滑性部がヌバック調の生地からなっているので、ヌバック調の生地が衣服と接触すると、その生地の繊維と衣服の繊維が絡むため、両者の擦れ合いには少しの抵抗がある。また、同生地は、軽量かつ薄肉、柔軟であるから、背中や腰に接触してもごわつき感がなく、また曲面にも優しく沿うことができるので、違和感はない。したがって、ヌバック調の生地を備えている難滑性部は、バッグに振動が伝わっても、背中や腰の上で揺動を防止することができる。さらにまたヌバック調の生地は細かな繊維状のものが起毛しているので、背中に滲み出る汗などを吸い取り易く、接触部の汗などのべとつきによる不快感を低減する。また背負いバッグを背負うときには、ヌバック調の生地からなる難滑性部が少々、衣服上での滑りを悪くするが、これは突出部の下部だけであるから、易滑性部が衣服上を軽快に滑る作用をすることによって、全体的には軽快に背負うことができる。また背負いバッグを背負った後、衣服が捩れたりしている場合でも、ヌバック調の生地からなる難滑性部は突出部の下部に有しているだけであるから、全体的には、衣服を引っ張って縒れを修正することは簡単にできる。衣服に捩れや捻じれがないように修正し終えた後の背負いバッグは、ヌバック調の生地からなる難滑性部が背中や腰部に接触しているので、背負いバッグに衝撃が加わっても、ずれにくく、安定した背負い状態を得ることができる。
【００１３】
前記ヌバック調の生地からなる難滑性部が弾性体を有する突出部に設けられている場合、この難滑性部は強力に背中や腰などに接触することができる。また、弾性体を有しているから、優しく背中や腰部に接触することができる。この接触の度合いは、背負いバッグの重量が影響し、重量があるほど背中や腰部の湾曲部に確実に接触することができる。しかし上記難滑性部は、弾力があって背中や腰部に優しく接触するので、圧迫感などの不快感はない。このように確実に接触することによって体と背負いバッグが一体となり、かつ衝撃をヌバック調の生地で吸収するので、バッグの揺動を一層低減し、安定して背負うことができる。
【００１４】
また弾性体を有する突出部に、難滑性部と易滑性部を有している場合、難滑性部だけでなく易滑性部においても背中から腰部にかけての曲面に、優しく接触することができる。
【００１５】
また前記背負いバッグの背面の下方に腰ベルトを備えている場合（請求項２）、腰ベルトをしめることによって、背負いバッグ全体の揺動防止が確実になる。さらに弾性体を有する突出部にはヌバック調の生地からなる難滑性部が設けられているので、弾性体と腰ベルトとの相乗作用で、揺動防止が一層確実になる。なおヌバック調の生地からなる難滑性部と腰部との接触が確実になる分、汗ばみやすくなるが、難滑性部の表面はヌバック調の生地であるから、流れる汗を吸水することができる。このように難滑性部は腰ベルトによって一層、腰に圧着させることが可能になっているが、該部分は弾性体が優しく腰部に接触しているので、締め付け感はない。しかしながらバッグの揺動に対してはしっかりと支持することが可能になっている。
【００１７】
前記背負いバッグの背負いベルトの少なくとも肩にあたる部位に難滑性部を備えている場合（請求項３）、背負いベルトは使用者の体形によって、ベルトの長さを調節しても使用するが、肩幅までは調節されないのが実情である。しかしこの背負いベルトは少なくとも肩に接触する部位に難滑性部が設けられているから、肩から簡単に脱落することが防止されている。さらに背負いバッグが相当の重量物を有している場合、この重量の相乗作用もあって、より強力に肩に定着することになるので、バッグの揺動も防止できる。
このような背負いベルトの難滑性部がヌバック調の生地からなっている場合（請求項４）、肩の接触部に不快な厚みはないので、背負い感に違和感はなく、また肩との接触部の汗も吸い取ることができるので、爽快な背負い心地を得ることができる。
【００１８】
【発明の実施の形態】
つぎに図面を参照しながら本発明の背負いバッグの実施の形態を説明する。図１は本発明の背負いバッグの一実施形態を示す斜視図、図２はその背負いバッグの背面側の斜視図、図３ａは図１のＩ−Ｉ線断面図、図３ｂは図１のII−II線断面図、図４はその背負いバッグの要部の縫製前の状態を示す斜視図、図５および図６は本発明にかかわる背面の他の実施形態を示す背面図、図７は本発明にかかわる背負いベルトの一実施形態を示す要部裏面図である。
【００１９】
図１の背負いバッグは、背面１と、その背面１から突出して、背負い状態において直接背中や腰に接触する突出部２と、背面の後ろ側に筒状に設けられる襠部３とその後ろ部に設けられる表面部４とから袋状に構成された本体５と、２本の背負いベルト６、６と、腰ベルト７とから構成されている。図面符号の８は本体５の開閉部に設けられたスライドファスナーである。
【００２０】
背面１には、図１ないし図４に示すとおり、背面の中央に適当な間隔を開けた左右一対の突出部２、２が上下方向に設けられている。この実施形態ではこれらの突出部の表面が、背負い状態において主に直接背中や腰に接触する部位（背当て部）となっている。そして背面１の他の部位はほとんど背中や腰に接触することはない。このように図１の背負いバッグを背負うと、使用者の背中には、背負い袋の背面の一部分だけが接触するので、背中が汗でべとつくことは解消されている。突出部２、２の表面は、上方が易滑性部９、９で、下方が難滑性部１０、１０になっている。
【００２１】
背面１の構成を更なる詳細に説明すると、図３乃至図４に示すとおり、内地１１と、その上の上方に設けられる左右一対の芯地１２、１２と、その上に設けられる弾性体１３、１３と、それらの弾性体の上部の表面に被せられて易滑性部９、９を形成するネット地１４、１４と、弾性体の下部の表面に被せられて難滑性部１０、１０を形成するヌバック調の生地１５、１５とを備えている。芯地１２、弾性体１３およびネット地１４および生地１５は、突出部１２を形成する。２本の突出部２、２の間および突出部２、２の左右の外側には、硬めの外地１６ａおよび１６ｂ、１６ｂが設けられている。外地１６ａ、１６ｂは、突出部２、２の側端縁をカバーすると共に、内地１１に逢着糸１８で逢着して設けられている。
【００２２】
前記難滑性部を形成するヌバック調の生地１５は、使用者の腰部と接触し、この接触部において背負いバッグの揺動を防止することができるので、バッグの揺動で腰を衝撃することがない。またヌバック調の生地１５は衣服などの繊維と絡み合って両者の滑りは悪いので、背負い状態における背中や腰の上でバッグが滑ったりするのを防止することができる。なお図１に示す符号１９は、背面１の内地１１の周縁と本体５の襠部３の周縁と糸で縫い合わせて連結している逢着部である。
【００２３】
内地１１は、ナイロン、キャンバス、ビニルコートした布地など、強度及び耐水性が高い布地でなっており、芯地１２は、湾曲ができる程度の紙、合成樹脂、不織布などからなるシートで、突出部２の支持作用をしている。弾性体１３としては、発泡体、とくに粘着弾性を有する発泡体が用いられ、それを厚さ３〜２０mm程度、とくに５〜１０mm程度にスライスしたものが好ましい。粘着弾性を有する発泡体としては、米国のダイナミック・システム社が製造販売する衝撃吸収用の樹脂発泡体である「テンパーフォーム」のタイプＴ−４７、Ｔ−４１、Ｔ−３８、Ｔ−３６の他、メモリーフォームの商品名で市販されているものと同程度の性能を有するものが特に好ましい。これらは衝撃や振動の吸収・拡散性能が高いほか、通気性および熱吸収性が高く、吸湿・透湿性が高いので、背中にフィットするにも拘らず、背中に汗をかいたときに蒸れや汗によるべたつき、汚れを防止する効果がある。また軽量であるので（比重約０．１）、使用者の負担が軽いという利点がある。
【００２４】
なお粘着弾性を有する上記発泡シートは、通常は厚さ２〜５ｍｍ程度のシートを２〜５枚重ねて衝撃吸収作用を調節するのが好ましいが、厚さ５〜１０ｍｍのシート、あるいは２〜５ｍｍ程度のシートを１枚だけ使用するようにしてもよい。なお粘着性があるので、重ねた発泡シート同士が互いにずれるともない。また、粘着弾性を有する発泡シートのみを重ねてもよいが、薄くした通常の発泡シート（クッションシート）と積層してもよい。
【００２５】
ネット地１４、１４は、滑りが良いナイロン製のものが好ましい。これ自体は汗を吸収することはできないが、後ろの弾性体１３、１３が吸汗作用をするので、特に汗がべとつくことはない。ヌバック調の生地１５は、弾性体１３を覆っていて、弾性体が外見できない状態になっている。さらにヌバック調の生地１５は、吸汗性があるので、該部も汗によってべとつくことはない。外地１６ａ、１６ｂには、雨水や汗などが浸透しにくいナイロンなどの合成繊維の織布が好ましく用いられる。
【００２６】
前記ヌバック調の生地１５は、たとえば株式会社クラレ製のクラリーノ（ヌバック調）が好適に採用されうる。しかし他社のヌバック調の合成皮革、あるいは本物の皮革の裏側などを用いてもよい。
【００２７】
他の背面の実施形態は図５乃至図６に示すとおりである。まず図５に示す背面１の表面は、略Ｈ字状の縫い目によって、中央の上下およびそれらの左右に４区分された背当て部１７ａ〜ｄによって形成されている。それらの背当て部のうち、中央上部の背当て部１７ａおよび左右の背当て部１７ｂ、１７ｃは、易滑性部９であり、中央下部の背当て部１７ｄは難滑性部１０となっている。このものは、内地の表面に各背当て部１７ａ〜ｄの形状の独立したシート状の弾性体を配置し、それらの全体にネット地２４を被せ、それぞれの弾性体が移動しないように、ネット地２４と内地とを逢着し、その後、中央下部の背当て部１７ｄの範囲に、ネット地２４をカバーするようにヌバック調の生地２５を逢着することにより得られる。
【００２８】
したがって各背当て部１７ａ〜ｄは、縫着部２６で形成される溝を介して隣接しており、背面１のほぼ全体が背当て部になっている。そのため背面１の強度は高く、図１の実施形態の突出部２、２のように弾性体１３の後ろに芯地１２を設ける必要はない。なお、独立している４枚の弾性体のうち、中央の上部および左右の弾性体を一枚のネット地でカバーすると共に、中央下部の弾性体のネット地２４をカバーするようにヌバック調の生地２５を逢着してもい。
【００２９】
次に図６に示す背面１の表面は、逆Ｙ字状の縫い目によって３区分された背当て部２１ａ〜ｃによって形成されている。左右の背当て部２１ａ、２１ｂは易滑性部９で、下方の背当て部２１ｃは難滑性部１０である。この実施形態の層構造も図５のものと実質的に同じであり、各背当て部２１ａ〜ｃは、内地の表面に所定形状の独立したシート状の弾性体を配置し、全体に一枚のネット地２４を被せて逆Ｙ字状に縫い合わせ、さらに中央の下部の背当て部２１ｃには難滑性部となるヌバック調の生地２５を被せ、各弾性体の間の逆Ｙ地状の部分でネット地２４と内地、およびヌバック調の生地２５と内地を、それぞれ縫着２７している。したがってこの背面も、中央に逆Ｙ字形の適当な幅の溝２８を有している他は、各背当て部によって表面形成されているので、強度は高くなっており、背当て部は芯地がなくても支持することができる。
【００３０】
上記二つの実施形態は、明白なように易滑性部が背面の上方にあり、また背面の大部分を占有しているので、背負いバッグを軽快に背負うことができる。また難滑性部は背面の下方に位置し、使用者の腰部に接触することができるので、図１に示す実施形態と同様、背負いバッグの揺動を低減するなどの作用効果を有している。なお、これらの実施形態に使用している弾性体は、図１に示す実施形態のものと同じものを使用しうる。
【００３１】
図７は、背負いベルト６の実施形態であり、少なくとも肩に接触する部位に難滑性部２９を設けている。また背負いベルト６は使用者の肩にかかる背負いバッグ全体の重量を受けるので、使用者が走ったりすると大きい衝撃力が繰り返し加わる。また使用者の成長の結果、背負いベルトが肩と合わなくなって簡単に肩から脱落することがある。図７の背負いベルト６は、肩に接触するところに難滑性部２９を有し、この難滑性部としてヌバック調の生地３０が使用されている。この生地３０は先に述べているように、表面の繊維状のものが使用者の衣服の繊維と絡み合うことによって滑りが悪くなるという特徴がある。したがって背負いベルトが肩から脱落しにくくなる。さらに背負いベルト６と肩は、密着しているので汗がべとつき易い部位であるが、ヌバック調の生地３０は柔軟で、また吸汗性があるから、肩の湾曲に密着している背負いベルトであってもヌバック調の生地が密着部の汗を吸収することができるので、汗などによる不快感は低減されている。
【００３２】
なお、図示外ではあるが、背当て部のうち難滑性部だけに弾性体を設け、難滑性部だけを突出部とすることもできる。その場合は、難滑性部の腰部に対する接触は優しく、しかしながら確実に接触するから、背負いバッグの衝撃に対して、腰を充分に保護することができる。また難滑性部の表面がヌバック調の生地の場合、前記同様、該部には吸汗作用があるので、難滑性部と腰部の接触部は汗がべとつくことが低減される。
【００３３】
また、前記実施形態ではいずれも背面の背当て部の範囲に弾性体を設けているが、弾性体は必須ではない。弾性体を有しない場合は、本体を構成する布地がそのまま背面となり、腰が接触する中央下部および肩が接触する上部の左右が背中ないし腰が接触する背当て部となる。そのため、それらの部位にヌバック調の生地や滑りやすい生地あるいはネット地を縫い付けることにより、難滑性部および易滑性部を設ければよい。その場合、腰が当たる中央下部に難滑性部を設け、上部の左右に易滑性部を設けるのが好ましい。
【００３４】
前記ネット地や弾性体、内地に暗色の色を用い、難滑性部となるヌバック調の生地に、他の部位と異なる色、とくに原色などの鮮やかな色の生地を用いてもよく、その場合は、ファッション性が高い背負いバッグとなる。なお鮮やかな色のヌバック調の生地を背面に設けても、通常の形態で両肩に背負っている間は目立たない。しかし背負いバッグを背中から降ろしたとき、あるいは片方の肩ベルトだけを肩に引っかけたいわゆるショルダーバッグ状態で使用するとき、バッグの揺動で、一瞬、そのヌバック調の鮮やかな生地が目立つことになる。そのため、一層おしゃれである。
【図面の簡単な説明】
【図１】  本発明の背負いバッグの一実施形態を示す斜視図である。
【図２】  その背負いバッグの背面側の斜視図である。
【図３】  図３ａは図１のＩ−Ｉ線断面図、図３ｂは図１のII−II線断面図である。
【図４】  その背負いバッグの要部の縫製前の状態を示す斜視図である。
【図５】  本発明の背負いバッグの他の実施形態を示す背面側の斜視図である。
【図６】  本発明の背負いバッグの他の実施形態を示す背面側の斜視図である。
【図７】  本発明の背負いバッグの背負いベルトの要部斜視図である。
【符号の説明】
１  背面
２  突出部
３  襠部
４  表面部
５  本体
６  背負いベルト
７  腰ベルト
８  スライドファスナー
９  易滑性部
１０  難滑性部
１１  内地
１２  芯地
１３  弾性体
１４  ネット地
１５  ヌバック調の生地
１６ａ、１６ｂ  外地
１８  縫着糸
１７ａ、１７ｂ、１７ｃ、１７ｄ  背当て部
１９  逢着部
２４  ネット地
２５  ヌバック状の生地
２６  縫着部
２１ａ、２１ｂ、２１ｃ  背当て部
２７  逢着
２８  溝
２９  難滑性部
３０  ヌバック調の生地
【図１】
0003681622.tif 000002
【図２】
0003681622.tif 000003
【図３】
0003681622.tif 000004
【図４】
0003681622.tif 000005
【図５】
0003681622.tif 000006
【図６】
0003681622.tif 000007
【図７】
0003681622.tif 000008